(57)【特許請求の範囲】
【請求項１】
空気調和を行うヒートポンプ空調機と、
隔絶された第１の流路を通る空気と第２の流路を通る空気との間で熱交換を行う熱交換素子と、
浴室内に連通して設けられた吸込口と前記熱交換素子の前記第１の流路の吸入側とを連通させた空調前経路と、前記熱交換素子の前記第１の流路の吹出側と前記第２の流路の吸入側とを前記ヒートポンプ空調機を通して連通させたヒートポンプ経路と、前記熱交換素子の前記第２の流路の吹出側と前記浴室内に連通して設けられた吹出口とを連通させた空調後経路とを有する空調経路と、
前記吸込口より前記浴室内の空気を吸気し、前記浴室内より吸気した空気を、前記空調経路を経由させ、前記吹出口より前記浴室内に送風する送風手段と、
前記熱交換素子に給水する散水装置と、
前記散水装置に洗浄液を供給する洗浄液供給機とを備え、
前記散水装置で前記熱交換素子に洗浄液を供給して洗浄を行う
ことを特徴とする空調装置。
【請求項２】
前記散水装置による洗浄液の供給を停止した後、前記送風手段による送風を行い洗浄した経路を乾燥させる
ことを特徴とする請求項１に記載の空調装置。
【請求項３】
前記空調経路として、前記熱交換素子の前記第１の流路の吸入側と、前記第１の流路の吹出側とを、前記熱交換素子の外部で連結するバイパス経路を備え、
前記送風手段は、前記吸込口を介して前記浴室内より吸気された空気を、前記バイパス経路を経由して前記ヒートポンプ空調機に導入させ、
前記ヒートポンプ空調機は、導入された空気の空気調和を行う
ことを特徴とする請求項１または２に記載の空調装置。
【請求項４】
前記送風手段は、前記吸込口を介して前記浴室内より吸気された空気を、前記熱交換素子の前記第１の流路を経由して前記ヒートポンプ空調機に導入させると共に、前記第１の流路を通る空気の所定量を前記バイパス経路を経由して前記ヒートポンプ空調機に導入させ、
前記ヒートポンプ空調機は、導入された空気の空気調和を行う
ことを特徴とする請求項３に記載の空調装置。
【請求項５】
前記空調後経路を通る空気を加熱する加熱手段を備える
ことを特徴とする請求項１〜４の何れか１項に記載の空調装置。
【請求項６】
前記ヒートポンプ空調機は、前記空調経路を通って導入された空気の除湿を行い、
前記加熱手段は、前記送風手段により前記空調後経路を通る空気を加熱する
ことを特徴とする請求項５に記載の空調装置。
【請求項７】
前記空調前経路から分岐され、室外と連通した排気経路を備え、
前記送風手段は、前記空調前経路を通る空気の一部を、前記排気経路を経由して室外に排気する
ことを特徴とする請求項６に記載の空調装置。
【請求項８】
前記ヒートポンプ空調機は、前記熱交換素子の前記第１の流路の吸入側と、前記第１の流路の吹出側とを、前記熱交換素子の外部で連結するバイパス経路を経由し、前記空調経路を通って導入された空気の加熱を行い、
前記加熱手段は、前記送風手段により前記空調後経路を通る空気を加熱する
ことを特徴とする請求項５に記載の空調装置。
【請求項９】
前記空調経路は、前記浴室以外の室に連通して設けられた吸込口と連通し、前記空調前経路と合流する他室吸気経路を備え、
前記送風手段は、前記浴室以外の前記室より吸気した空気を、前記他室吸気経路及び前記空調経路を経由させ、前記浴室内に送風する
ことを特徴とする請求項１〜８の何れか１項に記載の空調装置。
【請求項１０】
前記空調経路は、前記空調後経路から分岐され、前記浴室以外の室に連通して設けられた吹出口と連通する他室給気経路を備え、
前記送風手段は、前記浴室、前記浴室以外の室の少なくとも何れかより吸気した空気を、前記空調経路及び前記他室給気経路を経由させ、前記浴室以外の前記室に送風する
ことを特徴とする請求項１〜９の何れか１項に記載の空調装置。
【請求項１１】
前記空調経路は、前記ヒートポンプ空調機の、前記ヒートポンプ経路が通された熱交換器の他方の熱交換器に通された前記空調後経路を備える
ことを特徴とする請求項１〜１０の何れか１項に記載の空調装置。
【発明の詳細な説明】
【技術分野】
【０００１】
本発明は、浴室内の空気の除湿等を行う空調装置に関する。
【背景技術】
【０００２】
従来より、入力された気体を冷却又は加熱して出力するヒートポンプ空調機を備え、室内の除湿又は暖房を行う空調装置が提案されている（例えば特許文献１参照）。
【０００３】
特許文献１に開示される空調装置は、圧縮機、凝縮器及び蒸発器を有するヒートポンプと、ヒータとを備える。また、特許文献１に開示される空調装置は、換気機能を備える。これにより、ヒートポンプを冷房除湿運転させ、ヒータ及び換気機能を動作させることにより、室内の空気を除湿することが可能となる。
【０００４】
【特許文献１】実開昭５９−１６１４２６号公報
【発明の開示】
【発明が解決しようとする課題】
【０００５】
しかし、上述した、ヒートポンプを備える従来の空調装置は、次のような問題がある。ヒートポンプを備える従来の空調装置で室内の空気の除湿を行う際には、室内の空気が直接ヒートポンプの蒸発器に入力され、冷媒と熱交換されることにより冷却除湿される。このため、特に室内の空気が高温高湿である場合は、ヒートポンプに掛かる負荷が大きく、消費電力が大きくなる問題がある。
【０００６】
本発明は、このような問題を解決するためになされたもので、ヒートポンプの消費電力の削減及び除湿性能の向上を可能とする空調装置を提供することを目的とする。
【課題を解決するための手段】
【０００７】
上述した課題を解決するため、本発明に係る空調装置は、空気調和を行うヒートポンプ空調機と、隔絶された第１の流路を通る空気と第２の流路を通る空気との間で熱交換を行う熱交換素子と、浴室内に連通して設けられた吸込口と熱交換素子の第１の流路の吸入側とを連通させた空調前経路と、熱交換素子の第１の流路の吹出側と第２の流路の吸入側とをヒートポンプ空調機を通して連通させたヒートポンプ経路と、熱交換素子の第２の流路の吹出側と浴室内に連通して設けられた吹出口とを連通させた空調後経路とを有する空調経路と、吸込口より浴室内の空気を吸気し、浴室内より吸気した空気を、空調経路を経由させ、吹出口より浴室内に送風する送風手段と、熱交換素子に給水する散水装置と、散水装置に洗浄液を供給する洗浄液供給機とを備え、散水装置で熱交換素子に洗浄液を供給して洗浄を行うことを特徴とするものである。
【０００８】
本発明に係る空調装置では、次のように浴室内の空気の除湿が行われる。ここで、浴室内の空気の除湿を行う際には、ヒートポンプ空調機は導入された空気の除湿を行う。
【０００９】
送風手段により、吸込口より浴室内の空気が吸気され、空調前経路、熱交換素子の第１の流路及びヒートポンプ経路を経由してヒートポンプ空調機に導入される。ヒートポンプ空調機に導入された空気は、ヒートポンプ空調機により除湿される。ヒートポンプ空調機により除湿された空気は、送風手段により、ヒートポンプ経路、熱交換素子の第２の流路及び空調後経路を経由して、吹出口より浴室内へ送風される。また、浴室内から吸気されヒートポンプ空調機に送られる空気と、ヒートポンプ空調機により除湿され浴室内へ送られる空気との間は、熱交換素子により、第１の流路及び第２の流路を流れる際に熱交換が行われる。
【００１０】
ここで、例えば、浴室内の空気が高温高湿である場合、浴室内から吸気された空気は、熱交換素子及びヒートポンプ空調機を経由することにより次のように変換され、浴室内へ送風される。
【００１１】
浴室内から吸気された高温高湿の空気は、ヒートポンプ空調機により除湿された低温高湿の空気と、熱交換素子により熱交換され、中温高湿の空気となる。熱交換素子により熱交換された中温高湿の空気は、ヒートポンプ空調機により除湿され、低温高湿の空気となる。ヒートポンプ空調機により除湿された低温高湿の空気は、浴室内から吸気された高温高湿の空気と、熱交換素子により熱交換され、高温低湿の空気となる。この熱交換素子により熱交換された高温低湿の空気が、浴室内へ送風される。
【００１２】
このように、例えば、浴室内の空気が高温高湿である場合、浴室内から吸気された空気は、熱交換素子及びヒートポンプ空調機を経由することにより高温低湿の空気に変換され、浴室内へ送風される。これにより、浴室内の除湿が行われる。
【発明の効果】
【００１３】
本発明の空調装置によれば、浴室内の空気の除湿を行う際に、浴室内から吸気された空気は、熱交換素子により、ヒートポンプ空調機により除湿された空気との間で熱交換されてヒートポンプ空調機に入力される。これにより、熱交換素子を備えない構成と比較して、ヒートポンプ空調機に入力される空気の温度が下がり、ヒートポンプ空調機に掛かる負荷を小さくし、消費電力を小さくすることが可能となる。
【００１４】
また、本発明の空調装置によれば、浴室内の空気の除湿を行う際に、ヒートポンプ空調機により除湿された空気は、熱交換素子により、浴室内から吸気された空気との間で熱交換されて浴室内へ送風される。これにより、熱交換素子を備えない構成と比較して、浴室内へ送風される空気の温度が上がり、相対湿度が下がることにより、除湿性能を向上させることが可能となる。更に、熱交換素子の洗浄及び乾燥を行うことにより、熱交換素子を清潔にしてカビの発生等を抑制することできる。
【発明を実施するための最良の形態】
【００１５】
以下、図面を参照して本発明の空調装置の実施の形態である浴室空調装置について説明する。
【００１６】
＜第１の実施の形態の浴室空調装置の構成例＞
（１）浴室空調装置の概要
図１は、第１の実施の形態の浴室空調装置１の構成を示す説明図である。図１に示すように、浴室空調装置１は浴室６の天井部及び室外に設置され、浴室６の空気調和を行うものである。ここで浴室６は扉に設けられたガラリ６ａにより、脱衣室３と連通した状態となる。
【００１７】
浴室空調装置１は、空気の冷却及び加熱を行うヒートポンプ空調機４と、ヒートポンプ空調機４に入力される空気と、ヒートポンプ空調機４から出力される空気との間で熱交換を行う熱交換素子５とを備え、浴室６内及び室外の空気を吸気し、吸気した空気を調和して浴室６内に給気する空調機能を有する。また、浴室空調装置１は、浴室６内の空気を吸気して室外に排出する換気機能を有する。浴室空調装置１は、空調機能及び換気機能のため、空気の吸気、送風を行うための各ファン、各ダンパ及び各空気経路を備える。
【００１８】
また、浴室空調装置１においては、ヒートポンプ空調機４、熱交換素子５、各ファン、各ダンパ及び各空気経路は、浴室６の天井部に設置される室内機１ａ、室外に設置される室外機Ａ１ｂ、及び室外機Ｂ１ｃに配置される。更に、浴室空調装置１は、浴室空調装置１の操作を行うための操作部５０を、例えば脱衣室３の壁面に備える。
【００１９】
（２）ヒートポンプ空調機の構成例
ヒートポンプ空調機４は、冷媒が流れる配管４ａと、外気と冷媒の間で熱交換を行う熱交換器Ａ４ｂと、浴室６内から吸気された空気と冷媒との間で熱交換を行う熱交換器Ｂ４ｃとを備える。また、ヒートポンプ空調機４は、配管４ａを流れる冷媒を圧縮する圧縮機４ｄと、配管４ａを流れる冷媒を減圧する膨張弁４ｅと、冷媒の流れる方向を切り替える四方弁４ｆを備える。更にヒートポンプ空調機４は、熱交換器Ａ４ｂに対して外気を送風するための冷却ファン４ｇを備える。
【００２０】
ここで図１に示す浴室空調装置１においては、熱交換器Ｂ４ｃは室外機Ａ１ｂ内に備えられ、熱交換器Ａ４ｂ、膨張弁４ｅ、圧縮機４ｄ、四方弁４ｆ及び冷却ファン４ｇは室外機Ｂ１ｃ内に備えられる。室外機Ｂ１ｃは冷却ファン４ｇにより熱交換器Ａ４ｂへ送風する外気を吸気するための吸気口１ｄを備える。吸気口１ｄには空気中の塵を除去するためのフィルタ１ｄａを備える。
【００２１】
（３）熱交換素子の構成例
図２は熱交換素子５の構成を示す説明図である。図２（ａ）は熱交換素子５の構成を示す斜視図であり、図２（ｂ）熱交換素子５の構成を示す分解斜視図である。図２に示すように、熱交換素子５は六角柱の形状を有し、セルＡ５ａ及びセルＢ５ｂが重ね合わされた構成を備える。セルＡ５ａは仕切り５ｃで仕切られた複数の流路５ａａを備え、セルＢ５ｂは仕切り５ｃで仕切られた複数の流路５ｂａを備える。セルＡ５ａ及びセルＢ５ｂが重ね合わされた状態では、流路５ａａ及び流路５ｂａは、一部が平行で隔壁５ｄを介して接した状態となる。
【００２２】
また、図２（ａ）に示すように、セルＡ５ａ及びセルＢ５ｂが重ね合わされた状態では、セルＡ５ａ及びセルＢ５ｂのそれぞれの開口部５ｅは、異なった面に位置した状態となる。更に、セルＡ５ａ及びセルＢ５ｂが重ね合わされた状態では、セルＡ５ａの流路５ａａは図２（Ａ）に示す流路Ａ５ｆを構成し、セルＢ５ｂの流路５ｂａは流路Ｂ５ｇを構成する。また、隔壁５ｄは熱伝導性に優れた材質により構成される。このような構成を備えることにより、図２に示すような熱交換素子５では、流路Ａ５ｆと流路Ｂ５ｇとを流れる空気の間で熱交換が行われる。流路Ａ５ｆは第１の流路の一例であり、流路５ｂａは第２の流路の一例である。
【００２３】
（４）空気の流路の構成例
図１に戻り、浴室空調装置１の空調機能及び換気機能を構成するための空気の流路について説明する。浴室空調装置１は、浴室６内に連通した吸込口Ａ７から還気ＲＡ１として吸気した室内の空気を、室外に連通した排気口８から排気ＥＡ１として排出する流路を形成する内気排出経路９を備える。内気排出経路９には、吸込口Ａ７から吸気した空気を排気口８方向へ送風する空気の流れを発生させる内気排出ファン１０を備える。また、内気排出経路９には、吸込口Ａ７と内気排出ファン１０の間に、内気排出経路９を開閉するダンパＤ１１を備える。
【００２４】
更に内気排出経路９には、内気排出ファン１０と排気口８との間に、ダンパＢ１２を介して空調前経路１３が接続される。ダンパＢ１２を操作することにより、内気排出経路９の経路９ａと経路９ｂのみが連通した状態（内気排出経路９と空調前経路１３が遮断された状態）、内気排出経路９の経路９ｂと空調前経路１３のみが連通した状態（内気排出経路９の経路９ａと、内気排出経路９の経路９ｂ及び空調前経路１３が遮断された状態）、及び内気排出経路９の経路９ａ、経路９ｂ及び空調前経路１３が全て連通した状態の三つの状態を取ることが可能となる。
【００２５】
空調前経路１３は、ダンパＢ１２から熱交換素子５の流路Ｂ５ｇの入口部に接続される。また、空調前経路１３にはダンパＣ１４を介して、バイパス経路１５が接続されている。ダンパＣ１４を操作することにより、空調前経路１３の経路１３ａと経路１３ｂのみが連通した状態（空調前経路１３とバイパス経路１５が遮断された状態）、空調前経路１３の経路１３ａとバイパス経路１５のみが連通した状態（空調前経路１３の経路１３ｂと、空調前経路１３の経路１３ａ及びバイパス経路１５とが遮断された状態）、及び空調前経路１３の経路１３ａ、経路１３ｂ及びバイパス経路１５を全て連通した状態の三つの状態を取ることが可能となる。バイパス経路は、ダンパＣ１４から、熱交換素子５の流路Ｂ５ｇの出口部に接続される。内気排出経路９の吸込口Ａ７からダンパＢ１２までの経路と、空調前経路１３は、空調前経路の一例である。
【００２６】
熱交換素子５の流路Ｂ５ｇの出口部には、ヒートポンプ空調機４の熱交換器Ｂ４ｃに接続されるヒートポンプ経路１６が接続される。ヒートポンプ経路１６は、ヒートポンプ空調機４の熱交換器Ｂ４ｃを経由して熱交換素子５の流路Ａ５ｆの入口部に接続される。
【００２７】
熱交換素子５の流路Ａ５ｆの出口部にはダンパＡ１７で接続される空調後経路１８が接続される。ダンパＡ１７には、排気口８へ接続される排気経路１９が接続される。また、ダンパＡ１７には、熱交換素子５の流路Ａ５ｆの出口部から出力された空気を、浴室６の吹出口２０から給気ＳＡとして吹出す経路を構成する還気経路２１が接続される。還気経路２１には、熱交換素子５の流路Ａ５ｆの出口部から出力された空気を吹出口２０方向へ送風する空気の流れを発生させる循環ファン２２を備える。
【００２８】
ダンパＡ１７を操作することにより、空調後経路１８と還気経路２１のみが連通した状態（排気経路１９は遮断された状態）と、排気経路１９と空調後経路１８のみが連通した状態（還気経路２１は遮断された状態）の二つの状態を取ることが可能となる。また、排気経路１９を介して排気口８から排気ＥＡ２が排出される。また、給気ＳＡが吹出される吹出口２０には、給気ＳＡを加熱するためのヒータ２３が備えられる。空調後経路１８と還気経路２１は、空調後経路の一例である。内気排出ファン１０と循環ファン２２は、送風手段の一例である。
【００２９】
更に、浴室空調装置１は、浴室６内に連通した吸込口Ｂ２４から還気ＲＡ２を吸気し、還気経路２１内へ接続する循環経路２５を備える。循環経路２５には、循環経路２５を開閉するためのダンパＥ２６を備える。
【００３０】
また、浴室空調装置１においては、吸込口Ａ７、吸込口Ｂ２４及び排気口８に、空気中の塵を除去するためのフィルタ７ａ、２４ａ及び８ａを備える。
【００３１】
このような空気の流路の構成を備えることにより、浴室空調装置１は、浴室６の空気調和を行うことが可能となる（詳細については後述する）。
【００３２】
（５）給排水の構成例
次に、浴室空調装置１の給排水の構成について説明する。浴室空調装置１は、殺菌剤や脱スケール材等の洗浄液を吐出する洗浄液供給機の一例であるディスペンサ２７及び散水装置２９を備え、洗浄液を含む洗浄水を熱交換素子５の上部より供給する給水経路２８を備える。また、浴室空調装置１は、熱交換素子５及びヒートポンプ空調機４の熱交換器Ｂ４ｃの下方部にドレンパン３０を有する排水経路３１を備える。
【００３３】
散水装置２９により、熱交換素子５の上部より供給された洗浄水は、熱交換素子５の上部の開口部より流路Ａ５ｆ及び流路Ｂ５ｇ内に流入し、流路Ａ５ｆ及び流路Ｂ５ｇ内を流れる。流路Ａ５ｆ及び流路Ｂ５ｇ内を流れた洗浄水は、熱交換素子５の下部の開口部からドレンパン３０上に落下し捕集される。ドレンパン３０により捕集された洗浄水は、排水経路３１を介して装置外部に排水される。また、ヒートポンプ空調機４に動作により熱交換器Ｂ４ｃで発生した結露も、ドレンパン３０上に落下して捕集され、排水経路３１に介して装置の外部に排水される。
【００３４】
ここで、ディスペンサ２７に加えて、洗浄液供給経路に図示しない他のディスペンサを備え、スケール付着抑制剤や銀イオン（Ａｇ+）、銅イオン（Ｃｕ2+）等の金属イオンを供給できるようにして、スケール付着やカビの発生等を抑制するようにしてもよい。
【００３５】
（６）第１の実施の浴室空調装置の他の例
図３は、第１の実施の形態の浴室空調装置の他の例である浴室空調装置１’の構成を示す説明図である。浴室空調装置１’は、図１に示す浴室空調装置１において、空調後経路１８の途中にダンパＧ３２と、ダンパＧ３２に接続された空調後経路Ａ３３とを備えるものである。空調後経路Ａ３３はヒートポンプ空調機４の熱交換器Ａ４ｂを経由してダンパＡ１７の手前で空調後経路１８の経路１８ａに接続される。
【００３６】
ダンパＧ３２は、空調後経路１８の経路１８ａと経路１８ｂのみを接続する状態（空調後経路Ａ３３と、空調後経路１８の経路１８ａ及び経路１８ｂを遮断した状態）、空調後経路Ａ３３と空調後経路１８の経路１８ｂのみを接続した状態（空調後経路１８の経路１８ａと、空調後経路Ａ３３及び空調後経路１８の経路１８ｂを遮断した状態）の二つの状態を取りうる。
【００３７】
＜第２の実施の形態の浴室空調装置の構成例＞
次に、第２の実施の形態の浴室空調装置２の構成について説明する。図４は、浴室空調装置２の構成を示す説明図である。図１の浴室空調装置１と同様の構成を備えるものは、同一の名称及び符号を付している。図４に示すように、浴室空調装置２は浴室６の天井部及び室外に設置され、浴室６及び脱衣室３の２室の空気調和を行うものである。ここで浴室６は扉に設けられたガラリにより、脱衣室３と連通した状態となる。
【００３８】
浴室空調装置２は、図１を用いて説明した浴室空調装置１と同様に、空気の冷却及び加熱を行うヒートポンプ空調機４と、ヒートポンプ空調機４に入力される空気と、ヒートポンプ空調機４から出力される空気との間で熱交換を行う熱交換素子５とを備える。これにより、浴室６内、脱衣室３内及び室外の空気を吸気し、吸気した空気を調和して浴室６内及び脱衣室３内に給気する空調機能を有するものである。また、浴室空調装置２は、浴室空調装置１と同様に、浴室６内及び脱衣室３内の空気を吸気して室外に排出する換気機能を有する。
【００３９】
浴室空調装置２においては、ヒートポンプ空調機４、熱交換素子５、給・排水の経路及び操作部５０は、図１に示した浴室空調装置１と同様である。以下においては、浴室空調装置１と異なる構成となる、浴室空調装置２の空気の流路の構成について、図４を用いて説明する。
【００４０】
浴室空調装置２における内気排出経路Ａ３４は浴室空調装置１における内気排出経路９に相当し、浴室空調装置２における還気経路Ａ３５は浴室空調装置１における還気経路２１に相当する。また、浴室空調装置２における吹出口Ａ３６は、浴室空調装置１における吹出口２０に相当する。
【００４１】
浴室空調装置２は、脱衣室３に連通して備えられた吸込口Ｃ３７を介して脱衣室３内から吸気された還気ＲＡ３を内気排出経路Ａ３４に接続された内気排出ファン１０に接続する内気排出経路Ｂ３８を備える。内気排出経路Ｂ３８は他室吸気経路の一例である。
【００４２】
また、浴室空調装置２は、還気経路Ａ３５の循環ファン２２とヒータ２３との間に、ダンパＦ３９を有し、ダンパＦ３９を介して、脱衣室３に連通して設けられた吹出口Ｂ４０に接続される還気経路Ｂ４１を備える。還気経路Ｂ４１は、他室給気経路の一例である。ここでダンパＦ３９を操作することにより、還気経路Ａ３５の経路３５ａと経路３５ｂのみが連通した状態（還気経路Ａ３５と還気経路Ｂ４１が遮断した状態）、還気経路Ａ３５の経路３５ａと還気経路Ｂ４１のみが連通した状態（還気経路Ａ３５の経路３５ｂと、還気経路Ａ３５の経路３５ａ及び還気経路Ｂ４１とが遮断した状態）、及び還気経路Ａ３５の経路３５ａ、経路３５ｂ及び還気経路Ｂ４１が全て連通した状態の三つの状態を取ることが可能となる。また、浴室空調装置２においては、吸込口Ｃ３７に、空気中の塵を除去するためのフィルタ３７ａを備える。
【００４３】
このような空気の流路の構成を備えることにより、浴室空調装置２は、浴室６及び脱衣室３の２室の空気調和を行うことが可能となる（詳細については後述する）。
【００４４】
次に本発明の浴室空調装置の動作例について説明する。
【００４５】
＜第１の実施の形態の浴室空調装置の動作例＞
まず、第１の実施の形態の浴室空調装置１の動作例について説明する。
【００４６】
（１）浴室空調装置１の制御の概要
浴室空調装置１では、以下の各動作モードが実行される。浴室空調装置１では、浴室６内の空気を吸気して室外へ排気する換気モード、浴室６内の空気を吸気して室外へ排気しつつ、浴室６内の空気を循環させる循環換気モードが実行される。
【００４７】
また、浴室空調装置１では、浴室６内の空気を吸気し、浴室６内より吸気した空気の一部を室外へ排気しつつ、浴室６内より吸気した空気の一部をヒートポンプ空調機４により除湿して浴室６内へ送風する除湿モードが実行される。
【００４８】
更に浴室空調装置１では、浴室６内の空気を吸気し、浴室６内より吸気した空気をヒートポンプ空調機４及びヒータ２３により加温して浴室６内へ送風する急速暖房モード、浴室６内の空気を吸気し、浴室６内より吸気した空気をヒータ２３のみにより加温して浴室６内へ送風する通常暖房モード、及び、浴室６内の空気を吸気し、浴室６内より吸気した空気をヒートポンプ空調機４にのみ加温して浴室６内へ送風する省エネ暖房モードが実行される。
【００４９】
また、浴室空調装置１では、熱交換素子５の熱交換流路（流路Ａ５ｆ及び流路Ｂ５ｇ）を洗浄水により洗浄する洗浄モード、及び洗浄水により洗浄した熱交換素子５の熱交換流路を乾燥させる乾燥モードが実行される。これらの各動作モードは、使用者の操作部５０の操作により実行される。以下において、各動作モードの詳細について説明する。
【００５０】
（２）換気モードの動作例
まず、換気モードの動作例について説明する。図５は換気モード実行時の浴室空調装置１の各部の状態を示す説明図である。図５以下の各動作モードの説明図においては、太矢印により空気の流通状態を示す。図５に示すように、換気モードの実行時は、ダンパＤ１１は内気排出経路９を開いた状態となり、ダンパＢ１２は内気排出経路９の経路９ａと経路９ｂとを連通した状態（空調前経路１３と、内気排出経路９の経路９ａ及び経路９ｂを遮断した状態）となる。また内気排出ファン１０は動作した状態となる。
【００５１】
また、換気モードの実行時は、ダンパＥ２６は循環経路２５を閉じた状態となり、ヒータ２３、循環ファン２２，散水装置２９及びヒートポンプ空調機４は全て停止した状態となる。ダンパＡ１７及びダンパＣ１４は任意の位置となる。
【００５２】
換気モードにおいては、浴室空調装置１の各部が以上のような状態となることにより、吸込口Ａ７から浴室６内の空気が還気ＲＡ１として吸気され、内気排出経路９を経由して排気口８より排気ＥＡ１として排気される。これにより、浴室６内の空気の換気が行われる。
【００５３】
（３）循環換気モードの動作例
次に、循環換気モードの動作例について説明する。図６は循環換気モード実行時の浴室空調装置１の各部の状態を示す説明図である。図６に示すように、循環換気モードの実行時は、ダンパＤ１１は内気排出経路９を開いた状態となり、ダンパＢ１２は内気排出経路９の経路９ａと経路９ｂとを連通した状態（空調前経路１３と、内気排出経路９の経路９ａ及び経路９ｂを遮断した状態）となる。また内気排出ファン１０は動作した状態となる。
【００５４】
また、循環換気モードの実行時は、ダンパＥ２６は循環経路２５を開いた状態となり、ダンパＡ１７は空調後経路１８と排気経路１９を連通させた状態（還気経路２１と、排気経路１９及び空調後経路１８との間を遮断した状態）となる。循環ファン２２は動作した状態となり、ヒータ２３は停止した状態となる。
【００５５】
更に、循環換気モードの実行時は、散水装置２９及びヒートポンプ空調機４は停止した状態となる。また、ダンパＣ１４は任意の位置となる。
【００５６】
循環換気モードにおいては、浴室空調装置１の各部が以上のような状態となることにより、吸込口Ａ７から浴室６内の空気が還気ＲＡ１として吸気され、内気排出経路９を経由して排気口８より排気ＥＡ１として排気される。また、吸込口Ｂ２４から浴室６内の空気が還気ＲＡ２として吸気され、吹出口２０より給気ＳＡとして浴室６内に給気される。これにより、浴室６内の空気の換気、及び浴室６内の空気の循環が行われる。
【００５７】
また、上述した例においては、ヒータ２３は停止した状態であるとしたが、循環換気モードにおいて、ヒータ２３を動作させるとしてもよい。これにより浴室６内へ給気される空気が加熱され、浴室６内の温度を上昇させながら浴室６内の空気の換気、及び浴室６内の空気の循環が行われ、浴室６内に設置される図示しないランドリーパイプ等でつるした洗濯物を乾燥させる衣類乾燥モードとして利用できる。
【００５８】
（４）除湿モードの動作例
次に、除湿モードの動作例について説明する。図７は除湿モード実行時の浴室空調装置１の各部の状態を示す説明図である。図７に示すように、除湿モードの実行時は、ダンパＤ１１は内気排出経路９を開いた状態となり、ダンパＢ１２は、内気排出経路９の経路９ａ、経路９ｂ及び空調前経路１３が全て連通した状態となる。
【００５９】
また、除湿モードの実行時は、ダンパＣ１４は、空調前経路１３の経路１３ａと経路１３ｂのみを連通した状態（空調前経路１３とバイパス経路１５を遮断した状態）となり、ダンパＡ１７は空調後経路１８と還気経路２１のみを連通した状態（空調後経路１８と還気経路２１と、排気経路１９を遮断した状態）となる。ダンパＥ２６は循環経路２５を閉じた状態となる。また、内気排出ファン１０、循環ファン２２は動作した状態となる。
【００６０】
ヒートポンプ空調機４は、次のような動作を行う。除湿モードにおいては、熱交換器Ａ４ｂは凝縮器として動作し、熱交換器Ｂ４ｃは蒸発器として動作する。この時、配管４ａ内の冷媒は図７中の矢印のように移動する。凝縮器として動作している熱交換器Ａ４ｂで外気に対して熱を放出した冷媒は、膨張弁４ｅで膨張され蒸発器として動作している熱交換器Ｂ４ｃに送られる。熱交換器Ｂ４ｃで、ヒートポンプ経路１６を流れる空気の熱を奪った冷媒は圧縮機４ｄにより圧縮された後、再び凝縮器として動作している熱交換器Ａ４ｂへ送られ、外気に対して熱を放出する。
【００６１】
このような各部及び冷媒の動作により、ヒートポンプ空調機４は、除湿モードにおいてはヒートポンプ経路１６を流れる空気の冷却動作を行う。
【００６２】
また、除湿モードの実行時は、ダンパＥ２６は循環経路２５を閉じた状態となる。また散水装置２９及びヒータ２３は停止した状態となる。
【００６３】
除湿モードにおいては、浴室空調装置１の各部が以上のような状態になることにより、浴室６内の空気の除湿が行われる。以下の説明においては、浴室６内の空気を高温高湿であるとする。まず、還気ＲＡ１として吸込口Ａ７から吸気された浴室６内の高温高湿な空気は、内気排出経路９を介して一部が排気口８より排気ＥＡ１として排出される。また、還気ＲＡ１として吸気された浴室６内の空気の一部は、空調前経路１３を介して熱交換素子５の流路Ｂ５ｇに送られる。
【００６４】
図８は、除湿モードにおいて、熱交換素子５及びヒートポンプ空調機４の熱交換器Ｂ４ｃを経由する空気の温度及び湿度の変化を示す説明図である。図６に示すように、空調前経路より熱交換素子５の流路Ｂ５ｇに送られる高温高湿の空気（図８に示す例では、温度：３５．２℃、相対湿度：６４．６％、絶対湿度：２３．４ｇ／Ｋｇ’）は、蒸発器として動作中の熱交換器Ｂ４ｃにより冷却された低温高湿の空気との間で熱交換され、中温高湿の空気（図８に示す例では、温度：２７．１℃、相対湿度：１００．０％、絶対湿度：２２．８ｇ／Ｋｇ’）となって熱交換素子５から出力される。
【００６５】
中温高湿の空気となって熱交換素子５から出力された空気は、ヒートポンプ経路１６で熱交換器Ｂ４ｃに送られ、冷却されることにより低温高湿の空気（図８に示す例では、温度：１４．４℃、相対湿度：１００．０％、絶対湿度：１０．３ｇ／Ｋｇ’）に変換される。この時、中温高湿の空気が低温高湿に変換されることにより、熱交換器Ｂ４ｃは結露する。
【００６６】
熱交換器Ｂ４ｃにより低温高湿に変換された空気は、熱交換素子５の流路Ａ５ｆに送られ、浴室６内から吸気された高温高湿の空気との間で熱交換され高温低湿の空気（図８に示す例では、温度：３４．２℃、相対湿度：３０．７％、絶対湿度：１０．３ｇ／Ｋｇ’）に変換され、空調後経路１８に送られる。
【００６７】
再度、図７に戻り、熱交換素子５により高温低湿に変換された空気は、循環ファン２２により空調後経路１８及び還気経路２１を経由して、吹出口２０より浴室６内に給気ＳＡとして給気される。
【００６８】
また、ヒートポンプ空調機４の熱交換器Ｂ４ｃに発生した結露は、ドレンパン３０により捕集され排水経路３１により装置の外部に排水される。
【００６９】
以上のような動作により、浴室空調装置１の除湿モードでは、例えば高温高湿である浴室６内の空気が吸気され、高温低湿の空気に変換されて浴室６内に給気される。これにより、浴室６内の空気の除湿が行われ、カビの発生を抑制することができる。
【００７０】
浴室空調装置１によれば、浴室６内の空気の除湿を行う際に、浴室６内から吸気された空気は、熱交換素子５により、ヒートポンプ空調機４により冷却された空気との間で熱交換されてヒートポンプ空調機４に入力される。これにより、熱交換素子５を備えない構成の浴室空調装置と比較して、ヒートポンプ空調機４に入力される空気の温度が下がり、ヒートポンプ空調機４に掛かる負荷を小さくし、消費電力を小さくすることが可能となる。
【００７１】
浴室空調装置１によれば、浴室６内の空気の除湿を行う際に、ヒートポンプ空調機４により冷却された空気は、熱交換素子５により、浴室６内から吸気された空気との間で熱交換されて浴室６内へ送風される。これにより、熱交換素子５を備えない構成の浴室空調装置と比較して、浴室６内へ送風される空気の温度が上がり、相対湿度が下がることにより、除湿性能を向上させることが可能となる。
【００７２】
上述した動作例の説明においては、ヒータ２３は動作させないとした。しかし、ヒータ２３を動作させ、浴室６内へ給気される給気ＳＡの温度を上昇させることにより、相対湿度を下げるようにしてもよい。
【００７３】
また、上述した動作例においては、ダンパＢ１２は内気排出経路９の経路９ａ、経路９ｂ及び空調前経路１３を全て連通させるとした。しかし、ダンパＢ１２を、内気排出経路９の経路９ａと経路９ｂのみを連通させた状態（空調前経路１３と、内気排出経路９の経路９ａと経路９ｂを遮断させた状態）と、内気排出経路９の経路９ｂと空調前経路１３のみを連通させた状態（内気排出経路９の経路９ａと、経路９ｂ及び空調前経路１３を遮断させた状態）の二つの状態を、除湿モード中に切り換えるとしてもよい。これにより、浴室６内及び脱衣室３内の湿度に応じて、浴室空調装置２による除湿動作を調整することが可能となる。
【００７４】
（５）急速暖房モードの動作例
次に、急速暖房モードの動作例について説明する。図９は急速暖房モード実行時の浴室空調装置１の各部の状態を示す説明図である。図９に示すように、急速暖房モードの実行時は、ダンパＤ１１は内気排出経路９を開いた状態となり、ダンパＢ１２は、内気排出経路９の経路９ｂと空調前経路１３を連通させた状態（内気排出経路９の経路９ａと、内気排出経路９の経路９ｂ及び空調前経路１３を遮断した状態）となる。
【００７５】
また、急速暖房モードの実行時は、ダンパＣ１４は、空調前経路１３の経路１３ａとバイパス経路１５を連通した状態（空調前経路１３の経路１３ｂと、空調前経路１３の経路１３ａとバイパス経路１５を遮断した状態）となり、ダンパＡ１７は空調後経路１８と還気経路２１のみを連通した状態（空調後経路１８と還気経路２１と、排気経路１９とを遮断した状態）となる。ダンパＥ２６は循環経路２５を開いた状態となる。また、内気排出ファン１０、循環ファン２２及びヒータ２３は動作した状態となる。
【００７６】
ヒートポンプ空調機４は、次のような動作を行う。急速暖房モードにおいては、熱交換器Ａ４ｂは蒸発器として動作し、熱交換器Ｂ４ｃは凝縮器として動作する。この時、配管４ａ内の冷媒は図９中の矢印のように移動する。蒸発器として動作している熱交換器Ａ４ｂで外気より熱を取り込んだ冷媒は、圧縮機４ｄにより圧縮された後、凝縮器として動作している熱交換器Ｂ４ｃに送られる。熱交換器Ｂ４ｃで、ヒートポンプ経路１６を流れる空気に熱を与えた冷媒は膨張弁４ｅにより膨張された後、再び蒸発器として動作している熱交換器Ａ４ｂへ送られ、外気より熱を取り込む。
【００７７】
このような各部及び冷媒の動作により、ヒートポンプ空調機４は、急速暖房モードにおいてはヒートポンプ経路１６を流れる空気の加熱動作を行うと共にヒータ２３を通電して空気の加熱動作を行う。また散水装置２９は停止した状態となる。
【００７８】
急速暖房モードにおいては、浴室空調装置１の各部が以上のような動作をすることにより、浴室６内の空気の暖房が急速に行われる。まず、還気ＲＡ１として吸込口Ａ７から吸気された浴室６内の空気は、内気排出経路９の経路９ｂ、空調前経路１３の経路１３ａ、バイパス経路１５及びヒートポンプ経路１６を介してヒートポンプ空調機４の凝縮器として動作している熱交換器Ｂ４ｃに送られる。
【００７９】
凝縮器として動作している熱交換器Ｂ４ｃにより加熱された空気は、熱交換素子５の流路Ａ５ｆを経由し、循環ファン２２により、更に空調後経路１８と還気経路２１を経由して、ヒータ２３により更に加熱された後、吹出口２０より浴室６内に給気ＳＡとして給気される。
【００８０】
ここで、吸込口Ａ７を介して浴室６内から吸気された空気は、熱交換素子５の流路Ｂ５ｇ内を流れず、バイパス経路１５内を流れる。このため、急速暖房モードにおいては、例えば除湿モードのように、浴室６内から吸気された空気と熱交換器Ｂ４ｃから熱交換素子５の流路Ａ５ｆに送られた空気の間で熱交換は行われない。このため、凝縮器として動作している熱交換器Ｂ４ｃにより加熱された空気が、浴室６内から吸気された空気との間で熱交換されることにより温度が低下してしまうことを防ぐことが可能となる。
【００８１】
また、吸込口Ｂ２４から吸気された浴室６内の空気（還気ＲＡ２）は、循環ファン２２により、循環経路２５及び還気経路２１を経由して、ヒータ２３により加熱された後、給気ＳＡとして浴室６内に給気される。
【００８２】
以上のような動作により、浴室空調装置１の急速暖房モードでは、吸気された浴室６内の空気が、ヒートポンプ空調機４及びヒータ２３により加熱され、浴室６内に給気される。これにより、ヒートポンプ空調機４及びヒータ２３のいずれか一方により暖房を行う場合と比較して、浴室６内の暖房を急速に行うことが可能となる。
【００８３】
図１０は、急速暖房モード時の他の動作例を示す説明図である。図１０に示す例においては、ダンパＣ１４は空調前経路１３の経路１３ａ、経路１３ｂ及びバイパス経路１５を全て連通した状態となる。これにより、図９に示す例とは異なり、浴室６内から吸気された空気は、一部がバイパス経路１５内を流れ、一部が熱交換素子５の流路Ｂ５ｇ内を流れた後、ヒートポンプ経路１６を経由して熱交換器Ｂ４ｃに入力される。
【００８４】
よって、図１０に示す例においては、浴室６内から吸気された空気の一部が、熱交換素子５により、蒸発器として動作している熱交換器Ｂ４ｃにより加熱された空気と熱交換されることにより加熱された後、熱交換器Ｂ４ｃに入力される。即ち、図７に示す例と比較して、熱交換器Ｂ４ｃに入力される空気の温度が上昇する。また、熱交換器Ｂ４ｃにより加熱された後、熱交換素子５の流路Ａ５ｆに入力された空気は、浴室６内から吸気された空気の一部と熱交換された後、給気ＳＡとして浴室６内へ給気される。
【００８５】
以上より、図１０に示す例においては、ダンパＣ１４の位置を調整して、バイパス経路１５及び熱交換素子５の流路Ｂ５ｇを流れる空気の量を調節することにより、ヒートポンプ空調機４の負荷、浴室６内へ給気される給気ＳＡの温度等を調節することが可能となる。
【００８６】
（６）通常暖房モードの動作例
次に、通常暖房モードの動作例について説明する。図１１は通常暖房モード実行時の浴室空調装置１の各部の状態を示す説明図である。図１１に示すように、通常暖房モードの実行時は、ダンパＥ２６は循環経路２５を開いた状態となり、ダンパＡ１７は還気経路２１と、排気経路１９及び空調後経路１８との間を遮断した状態となり、循環ファン２２及びヒータ２３は動作した状態となる。
【００８７】
また、通常暖房モードの実行時は、ダンパＤ１１は内気排出経路９を閉じた状態となる。ダンパＢ１２及びダンパＣ１４の位置は任意である。また、内気排出ファン１０、ヒートポンプ空調機４及び散水装置２９は停止した状態である。
【００８８】
通常暖房モードにおいては、浴室空調装置１の各部が以上のような状態となることにより、吸込口Ｂ２４から浴室６内の空気が還気ＲＡ２として吸気され、ヒータ２３により加熱された後、吹出口２０より給気ＳＡとして浴室６内に給気される。これにより、浴室６内の空気の暖房が行われる。
【００８９】
上述した通常暖房モードにおいては、浴室６内の空気をヒータ２３のみにより加熱するため、ヒートポンプ空調機４及びヒータ２３の両方を用いて加熱する急速暖房モードと比較して、急速に暖房を行うことができないが、より省電力で浴室６内の暖房を行うことが可能となる。
【００９０】
（７）省エネ暖房モードの動作例
次に、省エネ暖房モードの動作例について説明する。図１２は省エネ暖房モード実行時の浴室空調装置１の各部の状態を示す説明図である。図１２に示すように、省エネ暖房モードの実行時は、ダンパＤ１１は内気排出経路９を開いた状態となり、ダンパＢ１２は、内気排出経路９の経路９ｂと空調前経路１３を連通させた状態（内気排出経路９の経路９ａと、内気排出経路９の経路９ｂ及び空調前経路１３を遮断した状態）となる。
【００９１】
また、省エネ暖房モードの実行時は、ダンパＣ１４は、空調前経路１３の経路１３ａとバイパス経路１５を連通した状態（空調前経路１３の経路１３ｂと、空調前経路１３の経路１３ａとバイパス経路１５を遮断した状態）となり、ダンパＡ１７は空調後経路１８と還気経路２１のみを連通した状態（空調後経路１８と還気経路２１と、排気経路１９とを遮断した状態）となる。ダンパＥ２６は循環経路２５を閉じた状態となる。また、内気排出ファン１０、循環ファン２２は動作した状態となる。
【００９２】
ヒートポンプ空調機４は、急速暖房モード時と同様に、熱交換器Ａ４ｂは蒸発器として動作し、熱交換器Ｂ４ｃは凝縮器として動作し、ヒートポンプ経路１６を流れる空気の加熱動作を行う。
【００９３】
また散水装置２９及びヒータ２３は停止した状態となる。ダンパＥ２６は循環経路２５を閉じた状態となる。
【００９４】
省エネ暖房モードにおいては、浴室空調装置１の各部が以上のような動作をすることにより、浴室６内の空気の暖房が行われる。まず、還気ＲＡ１として吸込口Ａ７から吸気された浴室６内の空気は、内気排出経路９の経路９ｂ、空調前経路１３の経路１３ａ、バイパス経路１５及びヒートポンプ経路１６を介してヒートポンプ空調機４の凝縮器として動作している熱交換器Ｂ４ｃに送られる。
【００９５】
凝縮器として動作している熱交換器Ｂ４ｃにより加熱された空気は、熱交換素子５の流路Ａ５ｆを経由し、循環ファン２２により、更に空調後経路１８と還気経路２１を経由して、吹出口２０より浴室６内に給気ＳＡとして給気される。
【００９６】
ここで、吸込口Ａ７を介して浴室６内から吸気された空気は、熱交換素子５の流路Ｂ５ｇ内を流れず、バイパス経路１５内を流れる。このため、省エネ暖房モードにおいては、例えば除湿モードのように、浴室６内から吸気された空気と熱交換器Ｂ４ｃから熱交換素子５の流路Ａ５ｆに送られた空気の間で熱交換は行われない。このため、凝縮器として動作している熱交換器Ｂ４ｃにより加熱された空気が、浴室６内から吸気された空気との間で熱交換されることにより温度が低下してしまうことを防ぐことが可能となる。
【００９７】
以上のような動作により、浴室空調装置１の省エネ暖房モードでは、吸気された浴室６内の空気が、ヒートポンプ空調機４により加熱され、浴室６内に給気され、浴室内の暖房が行われる。また、省エネ暖房運転モードにおいては、上述したヒータ２３のみにより浴室６内の暖房を行う通常暖房モードと異なり、ヒートポンプ空調機４のみにより浴室６内の暖房を行うため、暖房をより省電力で行うことが可能となる。
【００９８】
また、省エネ暖房モードにおいても、図１１に示すように、ダンパＣ１４は空調前経路１３の経路１３ａ、経路１３ｂ及びバイパス経路１５を全て連通した状態とし、バイパス経路１５及び熱交換素子５の流路Ｂ５ｇを流れる空気の量を調節することにより、ヒートポンプ空調機４の負荷、浴室６内へ給気される給気ＳＡの温度等を調節することが可能となる。
【００９９】
（８）洗浄・乾燥モードの動作例
次に、浴室空調装置１の洗浄・乾燥モードの動作例について説明する。まず、洗浄モードの動作例について説明する。図１３は洗浄モード実行時の浴室空調装置１の各部の状態を示す説明図である。図１３に示すように、洗浄モードの実行時は、散水装置２９のみが動作した状態となる。内気排出ファン１０，循環ファン２２、ヒータ２３、ヒートポンプ空調機４は停止した状態となる。また、各ダンパは任意の位置となる。
【０１００】
洗浄モードにおいては、浴室空調装置１の各部が上述した状態になることにより、次のように熱交換素子５の流路Ａ５ｆ及び流路Ｂ５ｇの洗浄が行われる。まず給水経路２８により散水装置に対して給水される。この時、ディスペンサ２７より洗浄液が供給される。ディスペンサ２７より供給された洗浄液を含む洗浄水が、散水装置２９により、熱交換素子５の上部に散水される。熱交換素子５の上部に散水された洗浄水は、図２に示すような熱交換素子５の上部の開口部より流路Ａ５ｆ及び流路Ｂ５ｇの内部に流れる。この内部に流れた洗浄水により、流路Ａ５ｆ及び流路Ｂ５ｇは洗浄される。
【０１０１】
流路Ａ５ｆ及び流路Ｂ５ｇの内部を流れた洗浄水は、熱交換素子５の下部の開口部より、熱交換素子５の下方に位置するドレンパン３０上へ落下し捕集される。ドレンパン３０により捕集された洗浄水は、排水経路により装置の外部へ排水される。このような動作により、熱交換素子５の流路Ａ５ｆ及び流路Ｂ５ｇの洗浄が行われる。
【０１０２】
次に、乾燥モードの動作例について説明する。図１４は乾燥モード実行時の浴室空調装置１の各部の状態を示す説明図である。図１４に示すように、乾燥モードの実行時は、ダンパＤ１１は内気排出経路９を開いた状態となり、ダンパＢ１２は、内気排出経路９の経路９ｂと空調前経路１３を連通した状態（内気排出経路９の経路９ａと、内気排出経路９の経路９ｂ及び空調前経路１３を遮断した状態）となる。
【０１０３】
また、乾燥モードの実行時は、ダンパＣ１４は、空調前経路１３の経路１３ａと経路１３ｂのみを連通した状態（空調前経路１３とバイパス経路１５を遮断した状態）となり、ダンパＡ１７は空調後経路１８と排気経路１９のみを連通した状態（還気経路２１と、空調後経路１８と排気経路１９を遮断した状態）となる。ダンパＥ２６は循環経路２５を閉じた状態となる。また、内気排出ファン１０は動作した状態となる。
【０１０４】
ヒートポンプ空調機４、循環ファン２２、ヒータ２３及び散水装置２９は停止した状態となる。
【０１０５】
乾燥モードにおいては、浴室空調装置１の各部が以上のような状態になることにより、浴室６内の空気の除湿が行われる。まず、還気ＲＡ１として吸込口Ａ７から吸気された浴室６内の空気は、内気排出経路９の経路９ｂ、空調前経路１３の経路１３ａを介して熱交換素子５の流路Ｂ５ｇに送られる。熱交換素子５の流路Ｂ５ｇを流れた空気はヒートポンプ経路１６を経由して、熱交換素子５の流路Ａ５ｆに送られる。熱交換素子５の流路Ａ５ｆを流れた空気は、空調後経路１８及び排気経路１９を経由して排気ＥＡ２として排気口８から室外に排出される。
【０１０６】
以上のような動作により、洗浄モードで洗浄された後の熱交換素子５の流路Ａ５ｆ及び流路Ｂ５ｇの乾燥が行われる。このように、熱交換素子５の流路Ａ５ｆ及び流路Ｂ５ｇの洗浄及び乾燥を行うことにより、熱交換素子５の流路Ａ５ｆ及び流路Ｂ５ｇを清潔にしてカビの発生等を抑制することできる。
【０１０７】
（９）浴室空調装置１’の動作例
次に、第１の実施の浴室空調装置の他の例である図３に示す浴室空調装置１’の動作例について説明する。浴室空調装置１’は、換気モード、循環換気モード、急速暖房モード、通常暖房モード、省エネ暖房モード、洗浄・乾燥モードにおいては、ダンパＧ３２を空調後経路１８の経路１８ｂと空調後経路Ａ３３のみを連通させた状態（空調後経路１８の経路１８ａと、空調後経路Ａ３３及び経路１８ｂを遮断した状態）にすることにより、浴室空調装置１と同様の動作例となる。
【０１０８】
浴室空調装置１’は、除湿モードにおいて、浴室空調装置１と異なる動作例となる。図１５は浴室空調装置１’の除湿モードの動作例を示す説明図である。図１５に示すように、除湿モードにおいては、ダンパＧ３２は空調後経路１８の経路１８ｂと空調後経路Ａ３３のみを連通させた状態（空調後経路１８の経路１８ａと、空調後経路Ａ３３及び空調後経路１８の経路１８ｂを遮断した状態）となる。
【０１０９】
これにより、熱交換素子５の流路Ａ５ｆを通過して熱交換された空気は空調後経路Ａ３３により熱交換器Ａ４ｂを経由した後、循環経路２５を通って給気ＳＡとして浴室６内に給気される。
【０１１０】
ここで、熱交換器Ａ４ｂは凝縮器として動作しているため、熱交換器Ａ４ｂを経由した空気は加熱され温度が上昇する。即ち浴室６内に給気される給気ＳＡの温度が高くなることにより相対湿度が低下し、より浴室６内の空気の除湿効果を高めることが可能となる。これは浴室６内に設置された洗濯物の乾燥を行う際により有効となる。
【０１１１】
また、浴室空調装置１’においては、このような効果を、熱交換器Ａ４ｂより外気に排出される熱を再利用することにより得ることができる。
【０１１２】
＜第２の実施の形態の浴室空調装置の動作例＞
次に、第２の実施の形態の浴室空調装置２の動作例について説明する。
【０１１３】
（１）浴室空調装置２の制御の概要
浴室空調装置２では、例えば、以下の各動作モードが実行される。浴室空調装置２では、浴室６内及び脱衣室３内の空気を吸気して室外へ排気する換気モード、浴室６内及び脱衣室３内の空気を吸気して室外へ排気しつつ、浴室６内の空気を循環させる循環換気モードが実行される。
【０１１４】
また、浴室空調装置２では、浴室６内及び脱衣室３内の空気を吸気し、浴室６内及び脱衣室３内より吸気した空気の一部を室外へ排気しつつ、浴室６内及び脱衣室３内より吸気した空気の一部をヒートポンプ空調機４により除湿して浴室６内及び脱衣室３内へ送風する第１除湿モード、及び脱衣室３内の空気を吸気し、脱衣室３内より吸気した空気の一部を室外へ排気しつつ、脱衣室３内より吸気した空気の一部をヒートポンプ空調機４により除湿して脱衣室３内へ送風する第２除湿モードが実行される。
【０１１５】
更に浴室空調装置２では、浴室６内及び脱衣室３内の空気を吸気し、浴室６内及び脱衣室３内より吸気した空気をヒートポンプ空調機４及びヒータ２３により加温して浴室６内及び脱衣室３内へ送風する第１暖房モード、浴室６内及び脱衣室３内の空気を吸気し、浴室６より吸気した空気をヒータ２３により加熱して浴室６内に送風しつつ、脱衣室３内より吸気した空気をヒートポンプ空調機４及びヒータ２３により加温して浴室６内送風する第２暖房モード、浴室６内及び脱衣室３内の空気を吸気し、浴室６内及び脱衣室３内より吸気した空気をヒートポンプ空調機４及びヒータ２３により加温して浴室６内へ送風する第３暖房モード、及び脱衣室３内より吸気した空気をヒートポンプ空調機４により加温して脱衣室３内送風する第４暖房モードが実行される。
【０１１６】
また、浴室空調装置２では、熱交換素子５の熱交換流路を洗浄水により洗浄する洗浄モード、及び洗浄水により洗浄した熱交換素子５の熱交換流路を乾燥させる乾燥モードが実行される。これらの各動作モードは、使用者の操作部５０の操作により実行される。以下において、各動作モードの詳細について説明する。
【０１１７】
（２）換気モードの動作例
まず、換気モードの動作例について説明する。図１６は換気モード実行時の浴室空調装置２の各部の状態を示す説明図である。図１６に示すように、換気モードの実行時は、ダンパＤ１１は内気排出経路Ａ３４を開いた状態となり、ダンパＢ１２は内気排出経路Ａ３４の経路３４ａと経路３４ｂとを連通した状態（空調前経路１３と、内気排出経路Ａ３４の経路３４ａ及び経路３４ｂを遮断した状態）となる。また内気排出ファン１０は動作した状態となる。
【０１１８】
また、換気モードの実行時は、ダンパＥ２６は循環経路２５を閉じた状態となり、ヒータ２３、循環ファン２２，散水装置２９及びヒートポンプ空調機４は全て停止した状態となる。ダンパＡ１７、ダンパＣ１４及びダンパＦ３９は任意の位置となる。
【０１１９】
換気モードにおいては、浴室空調装置１の各部が以上のような状態となることにより、吸込口Ａ７から浴室６内の空気が還気ＲＡ１として吸気され、吸込口Ｃ３７から脱衣室３内の空気が還気ＲＡ３として吸気される。浴室６内及び脱衣室３内から吸気された空気は、内気排出経路Ａ３４及び内気排出経路Ｂ３８を経由して排気口８より排気ＥＡ１として排気される。これにより、浴室６内及び脱衣室３内の空気の換気が行われる。
【０１２０】
（３）循環換気モードの動作例
次に、循環換気モードの動作例について説明する。図１７は循環換気モード実行時の浴室空調装置２の各部の状態を示す説明図である。図１７に示すように、循環換気モードの実行時は、ダンパＤ１１は内気排出経路Ａ３４を開いた状態となり、ダンパＢ１２は内気排出経路Ａ３４の経路３４ａと経路３４ｂとを連通した状態（空調前経路１３と、内気排出経路Ａ３４の経路３４ａ及び経路３４ｂを遮断した状態）となる。また内気排出ファン１０は動作した状態となる。
【０１２１】
また、循環換気モードの実行時は、ダンパＥ２６は循環経路２５を開いた状態となり、ダンパＡ１７は空調後経路１８と排気経路１９を連通した状態（還気経路Ａ３５と、排気経路１９及び空調後経路１８との間を遮断した状態）となり、ダンパＦ３９は還気経路Ａ３５の経路３５ａと経路３５ｂのみを連通した状態（還気経路Ｂ４１と、還気経路Ａ３５の経路３５ａ及び経路３５ｂを遮断した状態）となる。
【０１２２】
更に、循環換気モードの実行時は、循環ファン２２は動作した状態となり、ヒータ２３は停止した状態となる。散水装置２９及びヒートポンプ空調機４は停止した状態となる。また、ダンパＣ１４は任意の位置となる。
【０１２３】
循環換気モードにおいては、浴室空調装置２の各部が以上のような状態となることにより、吸込口Ａ７から浴室６内の空気が還気ＲＡ１として吸気され、吸込口Ｃ３７から脱衣室３内の空気が還気ＲＡ３として吸気される。吸気された浴室６内及び脱衣室３内の空気は、内気排出経路Ａ３４及び内気排出経路Ｂ３８を経由して排気口８より排気ＥＡ１として排気される。また、吸込口Ｂ２４から浴室６内の空気が還気ＲＡ２として吸気され、吹出口２０より給気ＳＡとして浴室６内に給気される。これにより、浴室６内及び脱衣室３内の空気の換気、及び浴室６内の空気の循環が行われる。
【０１２４】
また、上述した例においては、ヒータ２３は停止した状態であるとしたが、循環換気モードにおいて、ヒータ２３を動作させるとしてもよい。これにより浴室６内へ給気される空気が加熱され、浴室６内の温度を上昇させながら浴室６内及び脱衣室３内の空気の換気、及び浴室６内の空気の循環が行われる。
【０１２５】
（４）第１除湿モードの動作例
次に、第１除湿モードの動作例について説明する。図１８は第１除湿モード実行時の浴室空調装置２の各部の状態を示す説明図である。図１８に示すように、第１除湿モードの実行時は、ダンパＤ１１は内気排出経路Ａ３４を開いた状態となり、ダンパＢ１２は、内気排出経路Ａ３４の経路３４ａ、経路３４ｂ及び空調前経路１３が全て連通した状態となる。
【０１２６】
また、第１除湿モードの実行時は、ダンパＣ１４は、空調前経路１３の経路１３ａと経路１３ｂのみを連通した状態（空調前経路１３とバイパス経路１５を遮断した状態）となり、ダンパＡ１７は空調後経路１８と還気経路Ａ３５のみを連通した状態（空調後経路１８と還気経路Ａ３５と、排気経路１９を遮断した状態）となる。ダンパＥ２６は循環経路２５を閉じた状態となり、ダンパＦ３９は還気経路Ａ３５の経路３５ａ、経路３５ｂ及び還気経路Ｂ４１を全て連通した状態となる。また、内気排出ファン１０、循環ファン２２は動作した状態となる。
【０１２７】
ヒートポンプ空調機４は、図７で説明した浴室空調装置１の除湿モードと同様に、熱交換器Ａ４ｂは凝縮器として動作し、熱交換器Ｂ４ｃは蒸発器として動作し、ヒートポンプ経路１６を流れる空気の冷却動作を行う。また、第１除湿モードの実行時は、ダンパＥ２６は循環経路２５を閉じた状態となる。また散水装置２９及びヒータ２３は停止した状態となる。
【０１２８】
第１除湿モードにおいては、浴室空調装置２の各部が以上のような状態になることにより、浴室６内及び脱衣室３内の空気の除湿が行われる。以下の説明においては、浴室６内の空気を高温高湿であるとする。まず、還気ＲＡ１として吸込口Ａ７から浴室６内の空気が吸気され、還気ＲＡ３として吸込口Ｃ３７から脱衣室３内の空気が吸気される。
【０１２９】
浴室６内及び脱衣室３内から吸気された高温高湿な空気は、内気排出経路Ａ３４及び内気排出経路Ｂ３８を介して一部が排気口８より排気ＥＡ１として排出される。また、吸気された浴室６内及び脱衣室３内の空気の一部は、空調前経路１３を介して熱交換素子５の流路Ｂ５ｇに送られる。
【０１３０】
ここで、熱交換素子５の流路Ｂ５ｇに送られた高温高湿の空気は、図８で説明した浴室空調装置１の除湿モード時と同様に、蒸発器として動作中の熱交換器Ｂ４ｃにより冷却された低温高湿の空気との間で熱交換され、中温高湿の空気となって熱交換素子５から出力される。
【０１３１】
中温高湿の空気となって熱交換素子５から出力された空気は、ヒートポンプ経路１６で熱交換器Ｂ４ｃに送られ、冷却されることにより低温高湿の空気に変換される。この時、中温高湿の空気が低温高湿に変換されることにより、熱交換器Ｂ４ｃは結露する。熱交換器Ｂ４ｃにより低温高湿に変換された空気は、熱交換素子５の流路Ａ５ｆに送られ、浴室６内から吸気された高温高湿の空気との間で熱交換され高温低湿の空気に変換され、空調後経路１８に送られる。
【０１３２】
図１８に戻り、熱交換素子５により高温低湿に変換された空気は、循環ファン２２により空調後経路１８、還気経路Ａ３５及び還気経路Ｂ４１を経由して、吹出口Ａ３６より浴室６内に給気ＳＡ１として給気され、吹出口Ｂ４０より脱衣室３内に給気ＳＡ２として給気される。
【０１３３】
また、ヒートポンプ空調機４の熱交換器Ｂ４ｃに発生した結露は、ドレンパン３０により捕集され排水経路３１により装置の外部に排水される。
【０１３４】
以上のような動作により、浴室空調装置２の第１除湿モードでは、例えば高温高湿である浴室６内及び脱衣室３内の空気が吸気され、高温低湿の空気に変換されて浴室６内及び脱衣室３内に給気される。これにより、浴室６内及び脱衣室３内の空気の除湿が行われ、カビの発生等を抑制することができる。
【０１３５】
浴室空調装置２によれば、浴室空調装置１と同様に、浴室６内の空気の除湿を行う際に、浴室６内及び脱衣室３内から吸気された空気は、熱交換素子５により、ヒートポンプ空調機４により冷却された空気との間で熱交換されてヒートポンプ空調機４に入力される。これにより、熱交換素子５を備えない構成の浴室空調装置と比較して、ヒートポンプ空調機４に入力される空気の温度が下がり、ヒートポンプ空調機４に掛かる負荷を小さくし、消費電力を小さくすることが可能となる。
【０１３６】
また、浴室空調装置２によれば、浴室空調装置１と同様に、浴室６内及び脱衣室３内の空気の除湿を行う際に、ヒートポンプ空調機４により冷却された空気は、熱交換素子５により、浴室６内から吸気された空気との間で熱交換されて浴室６内へ送風される。これにより、熱交換素子５を備えない構成の浴室空調装置と比較して、浴室６内へ送風される空気の温度が上がり、相対湿度が下がることにより、除湿性能を向上させることが可能となる。
【０１３７】
上述した動作例の説明においては、ヒータ２３は動作させないとした。しかし、ヒータ２３を動作させ、浴室６内へ給気される給気ＳＡの温度を上昇させることにより、相対湿度を下げるようにしてもよい。
【０１３８】
また、上述した動作例においては、ダンパＢ１２は内気排出経路Ａ３４の経路３４ａ、経路３４ｂ及び空調前経路１３を全て連通させるとした。しかし、ダンパＢ１２を、内気排出経路Ａ３４の経路３４ａと経路３４ｂのみを連通させた状態（空調前経路１３と、内気排出経路Ａ３４の経路３４ａと経路３４ｂを遮断させた状態）と、内気排出経路Ａ３４の経路３４ｂと空調前経路１３のみを連通させた状態（内気排出経路Ａ３４の経路３４ａと、経路３４ｂ及び空調前経路１３を遮断させた状態）の二つの状態を、第１除湿モード中に切り換えるとしてもよい。これにより、浴室６内及び脱衣室３内の湿度に応じて、浴室空調装置２による除湿動作を調整することが可能となる。
【０１３９】
（５）第２の除湿モードの動作例
次に、第２除湿モードの動作例について説明する。図１９は第２除湿モード実行時の浴室空調装置２の各部の状態を示す説明図である。図１９に示すように、第２除湿モードの実行時は、図１８に示す第１除湿モードと比較して、ダンパＤ１１及びダンパＦ３９の状態が異なる。第２除湿モードの実行時は、ダンパＤ１１が内気排出経路Ａ３４を閉じた状態となり、ダンパＦ３９が循環経路Ａ３５の経路３５ａと還気経路Ｂ４１のみを連通させた状態（循環経路Ａ３５の経路３５ｂと、循環経路Ａ３５の経路３５ａと還気経路Ｂ４１とを遮断した状態）となる。
【０１４０】
第２除湿モードにおいては、浴室空調装置２の各部が以上のような状態になることにより、脱衣室３内の空気の除湿が行われる。以下の説明においては、脱衣室３内の空気を高温高湿であるとする。まず、還気ＲＡ３として吸込口Ｃ３７から脱衣室３内の空気が吸気される。
【０１４１】
脱衣室３内から吸気された高温高湿な空気は、内気排出経路Ａ３４及び内気排出経路Ｂ３８を介して一部が排気口８より排気ＥＡ１として排出される。また、吸気された浴室６内及び脱衣室３内の空気の一部は、空調前経路１３を介して熱交換素子５の流路Ｂ５ｇに送られる。
【０１４２】
ここで、熱交換素子５の流路Ｂ５ｇに送られた高温高湿の空気は、図８で説明した浴室空調装置１の除湿モード時と同様に、蒸発器として動作中の熱交換器Ｂ４ｃにより冷却された低温高湿の空気との間で熱交換され、中温高湿の空気となって熱交換素子５から出力される。
【０１４３】
中温高湿の空気となって熱交換素子５から出力された空気は、ヒートポンプ経路１６で熱交換器Ｂ４ｃに送られ、冷却されることにより低温高湿の空気に変換される。この時、中温高湿の空気が低温高湿に変換されることにより、熱交換器Ｂ４ｃは結露する。熱交換器Ｂ４ｃにより低温高湿に変換された空気は、熱交換素子５の流路Ａ５ｆに送られ、浴室６内から吸気された高温高湿の空気との間で熱交換され高温低湿の空気に変換され、空調後経路１８に送られる。
【０１４４】
図１９に戻り、熱交換素子５により高温低湿に変換された空気は、循環ファン２２により空調後経路１８、還気経路Ａ３５及び還気経路Ｂ４１を経由して、吹出口Ｂ４０より脱衣室３内に給気ＳＡ２として給気される。
【０１４５】
また、ヒートポンプ空調機４の熱交換器Ｂ４ｃに発生した結露は、ドレンパン３０により捕集され排水経路３１により装置の外部に排水される。
【０１４６】
以上のような動作により、浴室空調装置２の第２除湿モードでは、例えば高温高湿である脱衣室３内の空気が吸気され、高温低湿の空気に変換されて浴室６内及び脱衣室３内に給気される。これにより、脱衣室３内の空気の除湿が行われ、カビの発生等を抑制することができる。
【０１４７】
浴室空調装置２によれば、浴室空調装置１と同様に、浴室６内の空気の除湿を行う際に、浴室６内及び脱衣室３内から吸気された空気は、熱交換素子５により、ヒートポンプ空調機４により冷却された空気との間で熱交換されてヒートポンプ空調機４に入力される。これにより、熱交換素子５を備えない構成の浴室空調装置と比較して、ヒートポンプ空調機４に入力される空気の温度が下がり、ヒートポンプ空調機４に掛かる負荷を小さくし、消費電力を小さくすることが可能となる。
【０１４８】
また、上述した動作例においては、ダンパＢ１２は内気排出経路Ａ３４の経路３４ａ、経路３４ｂ及び空調前経路１３を全て連通させるとした。しかし、ダンパＢ１２を、内気排出経路Ａ３４の経路３４ａと経路３４ｂのみを連通させた状態（空調前経路１３と、内気排出経路Ａ３４の経路３４ａと経路３４ｂを遮断させた状態）と、内気排出経路Ａ３４の経路３４ｂと空調前経路１３のみを連通させた状態（内気排出経路Ａ３４の経路３４ａと、経路３４ｂ及び空調前経路１３を遮断させた状態）の二つの状態を、第２除湿モード中に切り換えるとしてもよい。これにより、脱衣室３内の湿度に応じて、浴室空調装置２による除湿動作を調整することが可能となる。
【０１４９】
（６）第１暖房モードの動作例
次に、第１暖房モードの動作例について説明する。図２０は第１暖房モード実行時の浴室空調装置２の各部の状態を示す説明図である。図２０に示すように、第１暖房モードの実行時は、ダンパＤ１１は内気排出経路Ａ３４を開いた状態となり、ダンパＢ１２は、内気排出経路Ａ３４の経路３４ｂと空調前経路１３を連通させた状態（内気排出経路Ａ３４の経路３４ａと、内気排出経路Ａ３４の経路３４ｂ及び空調前経路１３を遮断した状態）となる。
【０１５０】
また、第１暖房モードの実行時は、ダンパＣ１４は、空調前経路１３の経路１３ａとバイパス経路１５を連通した状態（空調前経路１３の経路１３ｂと、空調前経路１３の経路１３ａとバイパス経路１５を遮断した状態）となり、ダンパＡ１７は空調後経路１８と還気経路２１のみを連通した状態（空調後経路１８と還気経路２１と、排気経路１９を遮断した状態）となる。ダンパＥ２６は循環経路２５を開いた状態となり、ダンパＦ３９は還気経路Ａ３５の経路３５ａ、経路３５ｂ及び還気経路Ｂ４１を全て連通した状態となる。また、内気排出ファン１０、循環ファン２２及びヒータ２３は動作した状態となる。
【０１５１】
ヒートポンプ空調機４は、浴室空調装置１の急速暖房モード時と同様に、熱交換器Ａ４ｂは蒸発器として動作し、熱交換器Ｂ４ｃは凝縮器として動作し、ヒートポンプ経路１６を流れる空気の加熱動作を行う。また散水装置２９は停止した状態となる。
【０１５２】
第１暖房モードにおいては、浴室空調装置２の各部が以上のような状態になることにより、浴室６内及び脱衣室３内の空気の暖房が行われる。まず、還気ＲＡ１として吸込口Ａ７から吸気された浴室６内の空気、及び還気ＲＡ３として吸込口Ｃ３７から吸気された脱衣室３内の空気は、内気排出経路Ａ３４、内気排出経路Ｂ３８、空調前経路１３の経路１３ａ、バイパス経路１５及びヒートポンプ経路１６を介してヒートポンプ空調機４の凝縮器として動作している熱交換器Ｂ４ｃに送られる。
【０１５３】
凝縮器として動作している熱交換器Ｂ４ｃにより加熱された空気は、熱交換素子５の流路Ａ５ｆを経由し、循環ファン２２により、更に空調後経路１８と還気経路Ａ３５を経由して、ヒータ２３により更に加熱された後、一部が吹出口Ａ３６より浴室６内に給気ＳＡ１として給気され、一部が吹出口Ｂ４０より脱衣室３内に給気ＳＡ２として給気される。
【０１５４】
ここで、吸込口Ａ７を介して浴室６内から吸気された空気及び吸込口Ｃ３７を介して脱衣室３内から吸気された空気は、熱交換素子５の流路Ｂ５ｇ内を流れず、バイパス経路１５内を流れる。このため、第１暖房モードにおいては、例えば除湿モードのように、浴室６内から吸気された空気と熱交換器Ｂ４ｃから熱交換素子５の流路Ａ５ｆに送られた空気の間で熱交換は行われない。このため、凝縮器として動作している熱交換器Ｂ４ｃにより加熱された空気が、浴室６内及び脱衣室３内から吸気された空気との間で熱交換されることにより温度が低下してしまうことを防ぐことが可能となる。
【０１５５】
また、吸込口Ｂ２４から吸気された浴室６内の空気（還気ＲＡ２）は、循環ファン２２により、循環経路２５及び還気経路Ａ３５を経由して、ヒータ２３により更に加熱された後、吹出口Ａ３６より給気ＳＡ１として浴室６内に給気され、一部が吹出口Ｂ４０より給気ＳＡ２として脱衣室内に給気される。
【０１５６】
以上のような動作により、浴室空調装置２の第１暖房モードでは、吸気された浴室６内及び脱衣室３内の空気の一部が、ヒートポンプ空調機４及びヒータ２３により加熱され、浴室６内に給気される。更に、吸気された浴室６内及び脱衣室３内の空気の一部が、ヒートポンプ空調機４により加熱され、脱衣室３内に給気される。これにより、ヒートポンプ空調機４及びヒータ２３のいずれか一方により暖房を行う場合と比較して、浴室６内及び脱衣室３の暖房を行うことが可能となる。
【０１５７】
また、上述した浴室空調装置２の第１暖房モードにおいても、図１０に示す浴室空調装置１の急速暖房モードの他の動作例のように、ダンパＣ１４は空調前経路１３の経路１３ａ、経路１３ｂ及びバイパス経路１５を全て連通した状態とし、バイパス経路１５及び熱交換素子５の流路Ｂ５ｇを流れる空気の量を調節することにより、ヒートポンプ空調機４の負荷、浴室６内へ給気される給気ＳＡ１の温度等を調節することが可能となる。
【０１５８】
（７）第２暖房モードの動作例
次に、第２暖房モードの動作例について説明する。図２１は第２暖房モード実行時の浴室空調装置２の各部の状態を示す説明図である。図２１に示すように、第２暖房モードの実行時は、ダンパＤ１１は内気排出経路Ａ３４を閉じた状態となり、ダンパＢ１２は、内気排出経路Ａ３４の経路３４ｂと空調前経路１３を連通させた状態（内気排出経路Ａ３４の経路３４ａと、内気排出経路Ａ３４の経路３４ｂ及び空調前経路１３を遮断した状態）となる。
【０１５９】
また、第２暖房モードの実行時は、ダンパＣ１４は、空調前経路１３の経路１３ａとバイパス経路１５を連通した状態（空調前経路１３の経路１３ｂと、空調前経路１３の経路１３ａとバイパス経路１５を遮断した状態）となり、ダンパＡ１７は空調後経路１８と還気経路２１のみを連通した状態（空調後経路１８と還気経路２１と、排気経路１９を遮断した状態）となる。ダンパＥ２６は循環経路２５を開いた状態となり、ダンパＦ３９は還気経路Ａ３５の経路３５ａ、経路３５ｂ及び還気経路Ｂ４１を全て連通した状態となる。また、内気排出ファン１０、循環ファン２２及びヒータ２３は動作した状態となる。
【０１６０】
ヒートポンプ空調機４は、第１暖房モード時と同様に、熱交換器Ａ４ｂは蒸発器として動作し、熱交換器Ｂ４ｃは凝縮器として動作し、ヒートポンプ経路１６を流れる空気の加熱動作を行う。また散水装置２９は停止した状態となる。
【０１６１】
第２暖房モードにおいては、浴室空調装置２の各部が以上のような状態になることにより、浴室６内及び脱衣室３内の空気の暖房が行われる。まず、還気ＲＡ３として吸込口Ｃ３７から吸気された脱衣室３内の空気は、内気排出経路Ａ３４、内気排出経路Ｂ３８、空調前経路１３の経路１３ａ、バイパス経路１５及びヒートポンプ経路１６を介してヒートポンプ空調機４の凝縮器として動作している熱交換器Ｂ４ｃに送られる。
【０１６２】
凝縮器として動作している熱交換器Ｂ４ｃにより加熱された空気は、熱交換素子５の流路Ａ５ｆを経由し、循環ファン２２により、更に空調後経路１８と還気経路Ａ３５を経由して、ヒータ２３により更に加熱された後、吹出口Ａ３６より浴室６内に給気ＳＡ１として給気される。
【０１６３】
ここで、第１暖房モードと同様に、吸込口Ｃ３７を介して脱衣室３内から吸気された空気は、熱交換素子５の流路Ｂ５ｇ内を流れず、バイパス経路１５内を流れる。このため、第２暖房モードにおいては、例えば除湿モードのように、浴室６内から吸気された空気と熱交換器Ｂ４ｃから熱交換素子５の流路Ａ５ｆに送られた空気の間で熱交換は行われない。このため、凝縮器として動作している熱交換器Ｂ４ｃにより加熱された空気が、浴室６内及び脱衣室３内から吸気された空気との間で熱交換されることにより温度が低下してしまうことを防ぐことが可能となる。
【０１６４】
また、吸込口Ｂ２４から吸気された浴室６内の空気（還気ＲＡ２）は、循環ファン２２により、循環経路２５及び還気経路Ａ３５を経由して、ヒータ２３により加熱された後、吹出口Ａ３６より給気ＳＡ１として浴室６内に給気される。
【０１６５】
また、脱衣室３内より還気ＲＡ３として空気が吸気されることにより、図２１の矢印Ｌに示すように、浴室６内から脱衣室３内へガラリ６ａを介して空気が移動する。
【０１６６】
以上のような動作により、浴室空調装置２の第２暖房モードでは、吸気された脱衣室３内の空気が、ヒートポンプ空調機４及びヒータ２３により加熱され、浴室６内に給気される。更に、吸気された浴室６内の空気がヒータ２３により加熱され、浴室６内に給気される。これにより、浴室６内の暖房が行われる。また、図２１の矢印Ｌに示すように、ガラリ６ａを介して浴室６内の空気が脱衣室３内に移動することにより、脱衣室３内の暖房が間接的に行われる。
【０１６７】
また、第２暖房モードにおいても、図１０に示す浴室空調装置１の急速暖房モードの他の動作例のように、ダンパＣ１４は空調前経路１３の経路１３ａ、経路１３ｂ及びバイパス経路１５を全て連通した状態とし、バイパス経路１５及び熱交換素子５の流路Ｂ５ｇを流れる空気の量を調節することにより、ヒートポンプ空調機４の負荷、浴室６内へ給気される給気ＳＡ１の温度等を調節することが可能となる。
【０１６８】
（８）第３暖房モードの動作例
次に、第３暖房モードの動作例について説明する。図２２は第３暖房モード実行時の浴室空調装置２の各部の状態を示す説明図である。図２２に示すように、第３暖房モードの実行時は、ダンパＤ１１は内気排出経路Ａ３４を開いた状態となり、ダンパＢ１２は、内気排出経路Ａ３４の経路３４ｂと空調前経路１３を連通させた状態（内気排出経路Ａ３４の経路３４ａと、内気排出経路Ａ３４の経路３４ｂ及び空調前経路１３を遮断した状態）となる。
【０１６９】
また、第３暖房モードの実行時は、ダンパＣ１４は、空調前経路１３の経路１３ａとバイパス経路１５を連通した状態（空調前経路１３の経路１３ｂと、空調前経路１３の経路１３ａとバイパス経路１５を遮断した状態）となり、ダンパＡ１７は空調後経路１８と還気経路２１のみを連通した状態（空調後経路１８と還気経路２１と、排気経路１９を遮断した状態）となる。ダンパＥ２６は循環経路２５を閉じた状態となり、ダンパＦ３９は還気経路Ａ３５の経路３５ａと経路３５ｂのみを連通した状態（還気経路Ｂ４１と、還気経路Ａ３５の経路３５ａ及び経路３５ｂを遮断した状態）また、内気排出ファン１０、循環ファン２２及びヒータ２３は動作した状態となる。
【０１７０】
ヒートポンプ空調機４は、第１、第２暖房モード時と同様に、熱交換器Ａ４ｂは蒸発器として動作し、熱交換器Ｂ４ｃは凝縮器として動作し、ヒートポンプ経路１６を流れる空気の加熱動作を行う。また散水装置２９は停止した状態となる。
【０１７１】
第３暖房モードにおいては、浴室空調装置２の各部が以上のような状態になることにより、浴室６内及び脱衣室３内の空気の暖房が行われる。まず、還気ＲＡ１として吸込口Ａ７から吸気された浴室６内の空気、及び還気ＲＡ３として吸込口Ｃ３７から吸気された脱衣室３内の空気は、内気排出経路Ａ３４、内気排出経路Ｂ３８、空調前経路１３の経路１３ａ、バイパス経路１５及びヒートポンプ経路１６を介してヒートポンプ空調機４の凝縮器として動作している熱交換器Ｂ４ｃに送られる。
【０１７２】
凝縮器として動作している熱交換器Ｂ４ｃにより加熱された空気は、熱交換素子５の流路Ａ５ｆを経由し、循環ファン２２により、更に空調後経路１８と還気経路Ａ３５を経由して、ヒータ２３により更に加熱された後、吹出口Ａ３６より浴室６内に給気ＳＡ１として給気される。
【０１７３】
ここで、吸込口Ａ７を介して浴室６内から吸気された空気及び吸込口Ｃ３７を介して脱衣室３内から吸気された空気は、熱交換素子５の流路Ｂ５ｇ内を流れず、バイパス経路１５内を流れる。このため、第３暖房モードにおいては、例えば除湿モードのように、浴室６内から吸気された空気と熱交換器Ｂ４ｃから熱交換素子５の流路Ａ５ｆに送られた空気の間で熱交換は行われない。このため、凝縮器として動作している熱交換器Ｂ４ｃにより加熱された空気が、浴室６内及び脱衣室３内から吸気された空気との間で熱交換されることにより温度が低下してしまうことを防ぐことが可能となる。
【０１７４】
また、脱衣室３内より還気ＲＡ３として空気が吸気されることにより、図２２の矢印Ｍに示すように、浴室６内から脱衣室３内へガラリ６ａを介して空気が移動する。
【０１７５】
以上のような動作により、浴室空調装置２の第３暖房モードでは、吸気された浴室６内及び脱衣室３内の空気が、ヒートポンプ空調機４及びヒータ２３により加熱され、浴室６内に給気される。これにより、浴室６内の暖房が行われる。また、図２２の矢印Ｍに示すように、ガラリ６ａを介して浴室６内の空気が脱衣室３内に移動することにより、脱衣室３内の暖房が間接的に行われる。
【０１７６】
また、第３暖房モードにおいても、図１０に示す浴室空調装置１の急速暖房モードの他の動作例のように、ダンパＣ１４は空調前経路１３の経路１３ａ、経路１３ｂ及びバイパス経路１５を全て連通した状態とし、バイパス経路１５及び熱交換素子５の流路Ｂ５ｇを流れる空気の量を調節することにより、ヒートポンプ空調機４の負荷、浴室６内へ給気される給気ＳＡ１の温度等を調節することが可能となる。
【０１７７】
（９）第４暖房モードの動作例
次に、第４暖房モードの動作例について説明する。図２３は第４暖房モード実行時の浴室空調装置２の各部の状態を示す説明図である。図２３に示すように、第４暖房モードの実行時は、図２０に示す第１暖房モードと比較して、ダンパＤ１１、ダンパＥ２６及びダンパＦ３９の状態が異なる。第４暖房モードの実行時は、ダンパＤ１１が内気排出経路Ａ３４を閉じた状態となり、ダンパＥ２６が循環経路２５を閉じた状態となり、ダンパＦ３９が循環経路Ａ３５の経路３５ａと還気経路Ｂ４１のみを連通させた状態（循環経路Ａ３５の経路３５ｂと、循環経路Ａ３５の経路３５ａと還気経路Ｂ４１とを遮断した状態）となる。
【０１７８】
第４暖房モードにおいては、浴室空調装置２の各部が以上のような状態になることにより、脱衣室３内の空気の暖房が行われる。まず、還気ＲＡ３として吸込口Ｃ３７から吸気された脱衣室３内の空気は、内気排出経路Ｂ３８、内気排出経路Ａ３４、空調前経路１３の経路１３ａ、バイパス経路１５及びヒートポンプ経路１６を介してヒートポンプ空調機４の凝縮器として動作している熱交換器Ｂ４ｃに送られる。
【０１７９】
凝縮器として動作している熱交換器Ｂ４ｃにより加熱された空気は、熱交換素子５の流路Ａ５ｆを経由し、循環ファン２２により、更に空調後経路１８と還気経路Ａ３５を経由して、吹出口Ｂ４０より脱衣室３内に給気ＳＡ２として給気される。
【０１８０】
ここで、吸込口Ｃ３７を介して脱衣室３内から吸気された空気は、熱交換素子５の流路Ｂ５ｇ内を流れず、バイパス経路１５内を流れる。このため、第４暖房モードにおいては、例えば除湿モードのように、脱衣室３内から吸気された空気と熱交換器Ｂ４ｃから熱交換素子５の流路Ａ５ｆに送られた空気の間で熱交換は行われない。このため、凝縮器として動作している熱交換器Ｂ４ｃにより加熱された空気が、脱衣室３内から吸気された空気との間で熱交換されることにより温度が低下してしまうことを防ぐことが可能となる。
【０１８１】
以上のような動作により、浴室空調装置２の第４暖房モードでは、吸気された脱衣室３内の空気の一部が、ヒートポンプ空調機４により加熱され、脱衣室３内に給気される。これにより脱衣室３の暖房を行うことが可能となる。
【０１８２】
また、上述した浴室空調装置２の第４暖房モードにおいても、図１０に示す浴室空調装置１の急速暖房モードの他の動作例のように、ダンパＣ１４は空調前経路１３の経路１３ａ、経路１３ｂ及びバイパス経路１５を全て連通した状態とし、バイパス経路１５及び熱交換素子５の流路Ｂ５ｇを流れる空気の量を調節することにより、ヒートポンプ空調機４の負荷、脱衣室３内へ給気される給気ＳＡ２の温度等を調節することが可能となる。
【０１８３】
（１０）他の動作モードの動作例
浴室空調装置２においても、浴室空調装置１と同様に、熱交換素子５の熱交換流路を洗浄水により洗浄する洗浄モード、及び洗浄水により洗浄した熱交換素子５の熱交換流路を乾燥させる乾燥モードが実行される。浴室空調装置２における洗浄モード及び乾燥モードは、図１０及び図１１を用いて説明した動作例と同様に実行される。これにより、熱交換素子５の流路Ａ５ｆ及び流路Ｂ５ｇの洗浄及び乾燥を行われ、熱交換素子５の流路Ａ５ｆ及び流路Ｂ５ｇを清潔にしてカビの発生等を抑制することができる。
【０１８４】
（１１）第２の浴室空調装置の他の構成例及び動作例
また、浴室空調装置２において、図３に示すように空調後経路１８の途中にダンパＧ３２と、ダンパＧ３２に接続され熱交換器Ａ４ｂを経由して空調後経路１８に接続される空調後経路Ａ３３とを備えるとしてもよい。これにより、除湿モードの実行時に、ダンパＧ３２を空調後経路Ａ３３と空調後経路１８の経路１８ｂを連結させた状態（空調後経路１８の経路１８ａと、空調後経路Ａ３３及び空調後経路１８の経路１８ｂを遮断した状態）にすることにより、図１５に示す浴室空調装置１’と同様に、浴室６内に給気される給気ＳＡ１及び脱衣室３内に給気される給気ＳＡ２の温度が高くなることにより相対湿度が低下し、より浴室６内及び脱衣室３内の空気の除湿効果を高めることが可能となる。また、このような効果を、熱交換器Ａ４ｂより外気に排出される熱を再利用することにより得ることができる。
【産業上の利用可能性】
【０１８５】
本発明は、浴室等の室内の被乾燥物の乾燥を行う浴室空調装置に適用される。
【図面の簡単な説明】
【０１８６】
【図１】第１の実施の形態の浴室空調装置を示す説明図である。ｎ
【図２】熱交換素子の構成を示す説明図である。
【図３】第１の実施の形態の浴室空調装置の他の例を示す説明図である。
【図４】第２の実施の形態の浴室空調装置を示す説明図である。
【図５】第１の実施の形態の浴室空調装置の換気モードの動作例を示す説明図である。
【図６】第１の実施の形態の浴室空調装置の循環換気モードの動作例を示す説明図である。
【図７】第１の実施の形態の浴室空調装置の除湿モードの動作例を示す説明図である。
【図８】第１の実施の形態の浴室空調装置の除湿モードの動作例を示す説明図である。
【図９】第１の実施の形態の浴室空調装置の急速暖房モードの動作例を示す説明図である。
【図１０】第１の実施の形態の浴室空調装置の急速暖房モードの動作例を示す説明図である。
【図１１】第１の実施の形態の浴室空調装置の通常暖房モードの動作例を示す説明図である。
【図１２】第１の実施の形態の浴室空調装置の省エネ暖房モードの動作例を示す説明図である。
【図１３】第１の実施の形態の浴室空調装置の洗浄モードの動作例を示す説明図である。
【図１４】第１の実施の形態の浴室空調装置の乾燥モードの動作例を示す説明図である。
【図１５】第１の実施の形態の浴室空調装置の他の例の除湿モードの動作例を示す説明図である。
【図１６】第２の実施の形態の浴室空調装置の換気モードの動作例を示す説明図である。
【図１７】第２の実施の形態の浴室空調装置の循環換気モードの動作例を示す説明図である。
【図１８】第２の実施の形態の浴室空調装置の第１除湿モードの動作例を示す説明図である。
【図１９】第２の実施の形態の浴室空調装置の第２除湿モードの動作例を示す説明図である。
【図２０】第２の実施の形態の浴室空調装置の第１暖房モードの動作例を示す説明図である。
【図２１】第２の実施の形態の浴室空調装置の第２暖房モードの動作例を示す説明図である。
【図２２】第２の実施の形態の浴室空調装置の第３暖房モードの動作例を示す説明図である。
【図２３】第２の実施の形態の浴室空調装置の第４暖房モードの動作例を示す説明図である。
【符号の説明】
【０１８７】
１、１’、２・・・浴室空調装置、３・・・脱衣室、４・・・ヒートポンプ空調機、５・・・熱交換素子、６・・・浴室、７・・・吸込口Ａ、８・・・排気口、９・・・内気排出経路、１０・・・内気排出ファン、１３・・・空調前経路、１１ｂ・・・軸、１２・・・吹出口、１３・・・排気口、１４・・・循環風路、１５・・・バイパス経路、１６・・・ヒートポンプ経路、１８・・・空調後経路、２０・・・吹出口、２１・・・還気経路、２２・・・循環ファン、２３・・・ヒータ、２７・・・ディスペンサ、２８・・・給水経路、２９・・・散水装置
【図１】
0004816259.tif 000002
【図２】
0004816259.tif 000003
【図３】
0004816259.tif 000004
【図４】
0004816259.tif 000005
【図５】
0004816259.tif 000006
【図６】
0004816259.tif 000007
【図７】
0004816259.tif 000008
【図８】
0004816259.tif 000009
【図９】
0004816259.tif 000010
【図１０】
0004816259.tif 000011
【図１１】
0004816259.tif 000012
【図１２】
0004816259.tif 000013
【図１３】
0004816259.tif 000014
【図１４】
0004816259.tif 000015
【図１５】
0004816259.tif 000016
【図１６】
0004816259.tif 000017
【図１７】
0004816259.tif 000018
【図１８】
0004816259.tif 000019
【図１９】
0004816259.tif 000020
【図２０】
0004816259.tif 000021
【図２１】
0004816259.tif 000022
【図２２】
0004816259.tif 000023
【図２３】
0004816259.tif 000024